【手続補正書】
【提出日】平成22年2月1日(2010.2.1)
【手続補正１】
【補正対象書類名】特許請求の範囲
【補正対象項目名】全文
【補正方法】変更
【補正の内容】
【特許請求の範囲】
【請求項１】
送信局から送信される複数のサブキャリアを受信する移動通信システムにおける、受信局であって、
周波数帯域を分割した周波数ブロック毎の受信チャネル状態を測定する受信チャネル状態測定部と、
前記受信チャネル状態測定部により測定された受信チャネル状態に基づいて、前記送信局に通知する前記周波数ブロックの受信チャネル状態を示す制御情報を生成する制御情報生成部と、
前記送信局に、前記制御情報生成部により生成された制御情報を通知する通知部と
を備えることを特徴とする受信局。
【請求項２】
前記制御情報生成部は、前記受信チャネル状態測定部により測定された受信チャネル状態に基づいて、所定の条件を満たす周波数ブロックの受信チャネル状態及び前記所定の条件を満たす周波数ブロックのＩＤ、指定された周波数ブロックのＩＤ及び前記指定された周波数ブロックのＩＤに対応する受信チャネル状態、及び前記測定された受信チャネル状態の平均値及び前記平均値と前記測定された受信チャネル状態との差分のうちのいずれか１つを制御情報として生成することを特徴とする請求項１に記載の受信局。
【請求項３】
前記制御情報生成部は、前記受信チャネル状態測定部により測定された受信チャネル状態に基づいて決定された所定の値及び前記所定の値と前記測定された受信チャネル状態との差分を制御情報として生成することを特徴とする請求項１又は２に記載の受信局。
【請求項４】
受信局へ複数のサブキャリアを送信する移動通信システムにおける送信局であって、
前記受信局から通知された前記周波数ブロックの受信チャネル状態を示す制御情報に基づいて、周波数ブロック毎の無線リソースの割当に対する指標を求め、前記指標に基づいて周波数ブロック毎に前記無線リソースを割り当てる割当部
を備え、
前記割当部は、当該移動通信システムに割り当てられた周波数帯域を分割した周波数ブロック毎に無線リソースを割り当てることを特徴とする送信局。
【請求項５】
前記割当部は、複数の周波数ブロックをブロック化することを特徴とする請求項４に記載の送信局。
【請求項６】
周波数ブロック毎に送信する送信部
を備えることを特徴とする請求項４または５に記載の送信局。
【請求項７】
前記割当部により割り当てられた無線リソースを示す情報を受信局に通知する通知部
を備えることを特徴とする請求項４ないし６のいずれか１項に記載の送信局。
【請求項８】
送信局と、前記送信局から送信される複数のサブキャリアを受信する受信局とを備える移動通信システムであって、
前記受信局は、
周波数帯域を分割した周波数ブロック毎の受信チャネル状態を測定する受信チャネル状態測定部と、
前記受信チャネル状態測定部により測定された受信チャネル状態に基づいて、前記送信局に通知する前記周波数ブロックの受信チャネル状態を示す制御情報を生成する制御情報生成部と
前記送信局に、前記制御情報生成部により生成された制御情報を通知する通知部と
を備え、
前記送信局は、
前記受信局から通知された前記周波数ブロックの受信チャネル状態を示す制御情報に基づいて、周波数ブロック毎の無線リソースの割当に対する指標を求め、前記指標に基づいて周波数ブロック毎に無線リソースを割り当てる割当部
を備えることを特徴とする移動通信システム。
【請求項９】
送信局と、前記送信局から送信される複数のサブキャリアを受信する受信局とを備える移動通信システムにおける周波数ブロック割当方法であって、
前記受信局は、
周波数帯域を分割した周波数ブロック毎の受信チャネル状態を測定するステップと、
前記受信チャネル状態を測定するステップにより測定された受信チャネル状態に基づいて、前記送信局に通知する前記周波数ブロックの受信チャネル状態を示す制御情報を生成するステップと
前記送信局に、前記制御情報を生成するステップにより生成された制御情報を通知する通知ステップと
を有し、
前記送信局は、
前記受信局により通知された制御情報に基づいて、各周波数ブロックの無線リソースの割当に対する指標を求め、前記指標に基づいて各周波数ブロックに無線リソースを割り当てるステップと
を有することを特徴とする周波数ブロック割当方法。
【手続補正２】
【補正対象書類名】明細書
【補正対象項目名】００１５
【補正方法】変更
【補正の内容】
【００１５】
本受信装置は、
送信局から送信される複数のサブキャリアを受信する移動通信システムにおける、受信局であって、
周波数帯域を分割した周波数ブロック毎の受信チャネル状態を測定する受信チャネル状態測定部と、
前記受信チャネル状態測定部により測定された受信チャネル状態に基づいて、前記送信局に通知する前記周波数ブロックの受信チャネル状態を示す制御情報を生成する制御情報生成部と、
前記送信局に、前記制御情報生成部により生成された制御情報を通知する通知部と
を備える。
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】変更
【補正の内容】
【００２０】
本送信局は、
受信局へ複数のサブキャリアを送信する移動通信システムにおける送信局であって、
前記受信局から通知された前記周波数ブロックの受信チャネル状態を示す制御情報に基づいて、周波数ブロック毎の無線リソースの割当に対する指標を求め、前記指標に基づいて周波数ブロック毎に前記無線リソースを割り当てる割当部
を備え、
前記割当部は、当該移動通信システムに割り当てられた周波数帯域を分割した周波数ブロック毎に無線リソースを割り当てる。
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】削除
【補正の内容】
【手続補正１０】
【補正対象書類名】明細書
【補正対象項目名】００２５
【補正方法】削除
【補正の内容】
【手続補正１１】
【補正対象書類名】明細書
【補正対象項目名】００２６
【補正方法】削除
【補正の内容】
【手続補正１２】
【補正対象書類名】明細書
【補正対象項目名】００２７
【補正方法】削除
【補正の内容】
【手続補正１３】
【補正対象書類名】明細書
【補正対象項目名】００２８
【補正方法】削除
【補正の内容】
【手続補正１４】
【補正対象書類名】明細書
【補正対象項目名】００２９
【補正方法】削除
【補正の内容】
【手続補正１５】
【補正対象書類名】明細書
【補正対象項目名】００３０
【補正方法】削除
【補正の内容】
【手続補正１６】
【補正対象書類名】明細書
【補正対象項目名】００３１
【補正方法】削除
【補正の内容】
【手続補正１７】
【補正対象書類名】明細書
【補正対象項目名】００３２
【補正方法】削除
【補正の内容】
【手続補正１８】
【補正対象書類名】明細書
【補正対象項目名】００３３
【補正方法】削除
【補正の内容】
【手続補正１９】
【補正対象書類名】明細書
【補正対象項目名】００３４
【補正方法】変更
【補正の内容】
【００３４】
本移動通信システムは、
送信局と、前記送信局から送信される複数のサブキャリアを受信する受信局とを備える移動通信システムであって、
前記受信局は、
周波数帯域を分割した周波数ブロック毎の受信チャネル状態を測定する受信チャネル状態測定部と、
前記受信チャネル状態測定部により測定された受信チャネル状態に基づいて、前記送信局に通知する前記周波数ブロックの受信チャネル状態を示す制御情報を生成する制御情報生成部と
前記送信局に、前記制御情報生成部により生成された制御情報を通知する通知部と
を備え、
前記送信局は、
前記受信局から通知された前記周波数ブロックの受信チャネル状態を示す制御情報に基づいて、周波数ブロック毎の無線リソースの割当に対する指標を求め、前記指標に基づいて周波数ブロック毎に無線リソースを割り当てる割当部
を備える。
【手続補正２０】
【補正対象書類名】明細書
【補正対象項目名】００３６
【補正方法】削除
【補正の内容】
【手続補正２１】
【補正対象書類名】明細書
【補正対象項目名】００３７
【補正方法】変更
【補正の内容】
【００３７】
本周波数ブロック割当方法は、
送信局と、前記送信局から送信される複数のサブキャリアを受信する受信局とを備える移動通信システムにおける周波数ブロック割当方法であって、
前記受信局は、
周波数帯域を分割した周波数ブロック毎の受信チャネル状態を測定するステップと、
前記受信チャネル状態を測定するステップにより測定された受信チャネル状態に基づいて、前記送信局に通知する前記周波数ブロックの受信チャネル状態を示す制御情報を生成するステップと、
前記送信局に、前記制御情報を生成するステップにより生成された制御情報を通知する通知ステップと
を有し、
前記送信局は、
前記受信局により通知された制御情報に基づいて、各周波数ブロックの無線リソースの割当に対する指標を求め、前記指標に基づいて各周波数ブロックに無線リソースを割り当てるステップと
を有することを特徴とする周波数ブロック割当方法。
【手続補正２２】
【補正対象書類名】明細書
【補正対象項目名】００３９
【補正方法】削除
【補正の内容】